(57)【要約】【課題】画像表示装置による画像表示時におけるデータ処理装置の表示画面に関連するユーザ操作の制限を低減することができる画像表示システムを提供すること。【解決手段】データ処理装置の表示画面上で起動中の表示アイテムＷ１，Ｗ２，Ｗ３について、画像表示装置に表示させるか否かがデータ処理装置において選択され、画像表示装置に表示させると選択された表示アイテムの画像データに基づいて画像表示装置における画像表示が行われる。すなわち、表示させると選択された表示アイテムは画像表示装置によって表示され、表示させると選択されなかった表示アイテムは画像表示装置によって表示されない。【選択図】図７
2007218944.tif 000002
【特許請求の範囲】
【請求項１】
複数の表示アイテムを同時に表示可能な表示画面の画像データを処理するデータ処理装置と、前記データ処理装置から送信された画像データを受信して画像を表示する画像表示装置とを備える画像表示システムであって、
前記データ処理装置は、
前記表示画面上で起動中の表示アイテムを検出する表示アイテム検出手段と、
前記表示アイテム検出手段によって検出された表示アイテムについて、前記画像表示装置に表示させるか否かを選択する表示／非表示選択手段と、
前記表示アイテム検出手段によって検出された表示アイテムのうち、少なくとも、前記表示／非表示選択手段によって前記画像表示装置に表示させると選択された表示アイテムの画像データを前記画像表示装置に送信する送信手段とを備え、
前記画像表示装置は、
前記送信手段によって送信された画像データを受信する受信手段と、
前記受信手段によって受信された画像データのうち、前記表示／非表示選択手段によって当該画像表示装置に表示させると選択された表示アイテムの画像データに基づいて表示画像データを形成する表示画像データ形成手段と、
前記表示画像データ形成手段によって形成された表示画像データに基づいて画像を表示する画像表示手段とを備える
ことを特徴とする画像表示システム。
【請求項２】
請求項１に記載の画像表示システムにおいて、
前記データ処理装置は、前記表示画面における背景画像データを取得する背景画像データ取得手段を備え、
前記送信手段は、前記表示アイテム検出手段によって検出された表示アイテムの画像データに加えて、前記背景画像データ取得手段によって取得された背景画像データを前記画像表示装置に送信し、
前記表示画像データ形成手段は、前記受信手段によって受信された前記背景画像データ上に、前記表示／非表示選択手段によって前記画像表示装置に表示させると選択された表示アイテムの画像データを配置することによって表示画像データを形成する
ことを特徴とする画像表示システム。
【請求項３】
請求項１または請求項２の画像表示システムにおいて、
前記データ処理装置は、
前記表示／非表示選択手段によって前記画像表示装置に表示させると選択された表示アイテムが配置される仮想画面を生成する仮想画面生成手段と、
前記仮想画面生成手段によって生成される仮想画面上において表示アイテムの表示状態を調整するアイテム表示状態調整手段とを備え、
前記表示画像データ形成手段は、前記アイテム表示状態調整手段によって表示状態が調整された表示アイテムの画像データに基づいて表示画像データを形成する
ことを特徴とする画像表示システム。
【請求項４】
複数の表示アイテムを同時に表示可能な表示画面の画像データを処理するデータ処理装置と、前記データ処理装置から送信された画像データを受信して画像を表示する画像表示装置とを備える画像表示システムに実行させる画像表示方法であって、
前記データ処理装置に、
前記表示画面上で起動中の表示アイテムを検出する表示アイテム検出ステップと、
前記表示アイテム検出ステップにおいて検出された表示アイテムについて、前記画像表示装置に表示させるか否かを選択する表示／非表示選択ステップと、
前記表示アイテム検出ステップにおいて検出された表示アイテムのうち、少なくとも、前記表示／非表示選択ステップにおいて前記画像表示装置に表示させると選択された表示アイテムの画像データを前記画像表示装置に送信する送信ステップとを実行させ、
前記画像表示装置に、
前記送信ステップにおいて送信された画像データを受信する受信ステップと、
前記受信ステップにおいて受信された画像データのうち、前記表示／非表示選択ステップにおいて当該画像表示装置に表示させると選択された表示アイテムの画像データに基づいて表示画像データを形成する表示画像データ形成ステップと、
前記表示画像データ形成ステップにおいて形成された表示画像データに基づいて画像を表示する画像表示ステップとを実行させる
ことを特徴とする画像表示方法。
【請求項５】
複数の表示アイテムを同時に表示可能な表示画面の画像データを処理するデータ処理装置と、前記データ処理装置から送信された画像データを受信して画像を表示する画像表示装置とを備える画像表示システムに実行させる画像表示プログラムであって、
前記データ処理装置に組み込まれたコンピュータに、
前記表示画面上で起動中の表示アイテムを検出する表示アイテム検出ステップと、
前記表示アイテム検出ステップにおいて検出された表示アイテムについて、前記画像表示装置に表示させるか否かを選択する表示／非表示選択ステップと、
前記表示アイテム検出ステップにおいて検出された表示アイテムのうち、少なくとも、前記表示／非表示選択ステップにおいて前記画像表示装置に表示させると選択された表示アイテムの画像データを前記画像表示装置に送信する送信ステップとを実行させる
ことを特徴とする画像表示プログラム。
【請求項６】
請求項５に記載の画像表示プログラムが記録され、コンピュータによって読み取り可能である
ことを特徴とする記録媒体。
【請求項７】
複数の表示アイテムを同時に表示可能な表示画面の画像データを処理するデータ処理装置と、前記データ処理装置から送信された画像データを受信して画像を表示する画像表示装置とを備える画像表示システムに実行させる画像表示プログラムであって、
前記画像表示装置に組み込まれたコンピュータに、
前記データ処理装置から送信された画像データを受信する受信ステップと、
前記受信ステップにおいて受信された画像データのうち、前記データ処理装置によって当該画像表示装置に表示させると選択された表示アイテムの画像データに基づいて表示画像データを形成する表示画像データ形成ステップと、
前記表示画像データ形成ステップにおいて形成された表示画像データに基づいて画像を表示する画像表示ステップとを実行させる
ことを特徴とする画像表示プログラム。
【請求項８】
請求項７に記載の画像表示プログラムが記録され、コンピュータによって読み取り可能である
ことを特徴とする記録媒体。
【請求項９】
複数の表示アイテムを同時に表示可能な表示画面の画像データを処理して画像表示装置に送信するデータ処理装置であって、
前記表示画面上で起動中の表示アイテムを検出する表示アイテム検出手段と、
前記表示アイテム検出手段によって検出された表示アイテムについて、前記画像表示装置に表示させるか否かを選択する表示／非表示選択手段と、
前記表示アイテム検出手段によって前記画像表示装置に表示させると選択された表示アイテムの画像データを前記画像表示装置に送信する送信手段とを備えていることを特徴とするデータ処理装置。
【請求項１０】
複数の表示アイテムを同時に表示可能な表示画面の画像データを処理するデータ処理装置から送信された画像データを受信して画像を表示する画像表示装置であって、
前記データ処理装置によって送信された画像データを受信する受信手段と、
前記受信手段によって受信された画像データのうち、前記表示／非表示選択手段によって当該画像表示装置に表示させると選択された表示アイテムの画像データに基づいて表示画像データを形成する表示画像データ形成手段と、
前記表示画像データ形成手段によって形成された表示画像データに基づいて画像を表示する画像表示手段とを備えていることを特徴とする画像表示装置。
【発明の詳細な説明】
【技術分野】
【０００１】
本発明は、画像表示システム，画像表示方法，画像表示プログラム，記録媒体，データ処理装置，画像表示装置に関する。
【背景技術】
【０００２】
従来、画像データを処理するパーソナルコンピュータ（データ処理装置）と、パーソナルコンピュータから送信された画像データを受信して画像を表示する液晶プロジェクタ（画像表示装置）とを備える画像表示システムが知られている（例えば、特許文献１，２参照）。
【０００３】
特許文献１，２の画像表示システムでは、パーソナルコンピュータの表示画面に表示されている画像を液晶プロジェクタに表示させるため、当該画像の画像データがパーソナルコンピュータに入力され、当該パーソナルコンピュータにおいて所定の画像処理が行われた後、ＵＳＢケーブルを介して液晶プロジェクタに送信されるようになっている。液晶プロジェクタは、ＵＳＢケーブルを介して受信した画像処理後の画像データに基づいて、パーソナルコンピュータの表示画面に表示されている画像をスクリーンに表示する。
【０００４】
特に、特許文献２の画像表示システムでは、パーソナルコンピュータの表示画面のうち、液晶プロジェクタに表示させたい領域をユーザが指定することができ、当該指定領域に表示される画像のみを液晶プロジェクタに表示させることができる。
【０００５】
図１は、パーソナルコンピュータの表示画面の表示例を示す図であり、当該表示画面における領域指定の例を示している。この図では、各種アイコンＩが配置されたデスクトップ上に動画像表示アプリケーションのウインドウＷ１が開かれている。動画像表示ウインドウＷ１内では、動画像表示領域Ａ１に動画像が表示されている。この例では、図中に太線の矩形枠によって示されているように、動画像表示領域Ａ１が、液晶プロジェクタに表示させる領域Ｄとしてユーザによって指定されている。このため、パーソナルコンピュータは、動画像表示領域Ａ１に表示されている動画像の画像データのみを液晶プロジェクタに送信し、液晶プロジェクタは、当該動画像のみをフルスクリーンで表示することができる。
【０００６】
【特許文献１】特開２００４−６９９９６号公報
【特許文献２】特開２００４−８６２７７号公報
【発明の開示】
【発明が解決しようとする課題】
【０００７】
しかしながら、特許文献２の画像表示システムでは、液晶プロジェクタに表示させる領域がパーソナルコンピュータの表示画面において指定されているため、当該表示画面に関連するパーソナルコンピュータ側でのユーザ操作が制限されるという問題がある。
【０００８】
例えば、図２に示されるように、パーソナルコンピュータ側でのユーザ操作によって、図１における動画像表示ウインドウＷ１が移動すると、動画像表示領域Ａ１が指定領域Ｄから外れてしまい、液晶プロジェクタは、動画像表示領域Ａ１に表示されている動画像を適切に表示することができなくなってしまう。このため、液晶プロジェクタ使用中には、ユーザによる動画像表示ウインドウＷ１の移動操作が制限されてしまう。
【０００９】
また、図３に示されるように、パーソナルコンピュータ側でのユーザ操作によって、図１における動画像表示ウインドウＷ１よりも前面に他のウインドウＷ２が生成あるいは移動されると、指定領域Ｄにおいて動画像表示領域Ａ１の一部がウインドウＷ２によって隠されてしまい、液晶プロジェクタは、動画像表示領域Ａ１に表示されている動画像を適切に表示することができなくなってしまう。このため、液晶プロジェクタに適切な動画像表示を行わせるためには、パーソナルコンピュータの表示画面において動画像表示ウインドウＷ１を常に最前面に表示することが強制され、ユーザによる他のウインドウＷ２の生成操作や移動操作が制限されてしまう。
【００１０】
本発明の目的は、画像表示時における表示画面に関連するデータ処理装置側でのユーザ操作の制限を低減することができる画像表示システム，画像表示方法，画像表示プログラム，記録媒体，データ処理装置，画像表示装置を提供することである。
【課題を解決するための手段】
【００１１】
本発明の画像表示システムは、複数の表示アイテムを同時に表示可能な表示画面の画像データを処理するデータ処理装置と、前記データ処理装置から送信された画像データを受信して画像を表示する画像表示装置とを備える画像表示システムであって、前記データ処理装置は、前記表示画面上で起動中の表示アイテムを検出する表示アイテム検出手段と、前記表示アイテム検出手段によって検出された表示アイテムについて、前記画像表示装置に表示させるか否かを選択する表示／非表示選択手段と、前記表示アイテム検出手段によって検出された表示アイテムのうち、少なくとも、前記表示／非表示選択手段によって前記画像表示装置に表示させると選択された表示アイテムの画像データを前記画像表示装置に送信する送信手段とを備え、前記画像表示装置は、前記送信手段によって送信された画像データを受信する受信手段と、前記受信手段によって受信された画像データのうち、前記表示／非表示選択手段によって当該画像表示装置に表示させると選択された表示アイテムの画像データに基づいて表示画像データを形成する表示画像データ形成手段と、前記表示画像データ形成手段によって形成された表示画像データに基づいて画像を表示する画像表示手段とを備えることを特徴とする。
【００１２】
このような画像表示システムでは、データ処理装置の表示画面上で起動中の表示アイテム（ウインドウ，ウインドウ内の画像表示領域，ＧＵＩ，アイコンなど）について、画像表示装置に表示させるか否かがデータ処理装置において選択され、画像表示装置に表示させると選択された表示アイテムの画像データに基づいて画像表示装置における画像表示が行われる。すなわち、表示させると選択された表示アイテムは画像表示装置によって表示され、表示させると選択されなかった表示アイテムは画像表示装置によって表示されない。なお、表示アイテムの表示／非表示の選択は、ユーザの操作に基づいて行われるようにしてもよいし、データ処理装置において自動的に行われるようにしてもよい。
【００１３】
このような画像表示システムによれば、画像表示装置に表示させるか否かの選択が表示アイテム単位で為されるので、表示画面における領域単位で表示の選択が為されていた特許文献２の画像表示システム（図１）とは異なり、図２に示されるように画像表示装置に表示させたい表示アイテムとしての動画像表示ウインドウＷ１（あるいは動画像表示領域Ａ１）が移動したとしても、画像表示装置は当該ウインドウＷ１（あるいは当該領域Ａ１）を適切に表示することができる。このように、本発明によれば、画像表示装置による画像表示時においてもデータ処理装置の表示画面上での表示アイテムの移動を許容することができるので、ユーザ操作の制限を低減することができる。
【００１４】
また、このような画像表示システムによれば、図３に示されるように、画像表示装置に表示させたい表示アイテムとしての動画像表示ウインドウＷ１（あるいは動画像表示領域Ａ１）よりも前面に他の表示アイテムとしてのウインドウＷ２が生成あるいは移動されたとしても、当該ウインドウＷ２について画像表示装置に表示させるとデータ処理装置において選択しておかなければ、当該ウインドウＷ２に関係なく画像表示装置は当該ウインドウＷ１（あるいは当該領域Ａ１）を適切に表示することができる。このように、本発明によれば、ある表示アイテムを画像表示装置に表示させているときにおいても、画像表示装置に表示させない他の表示アイテムの生成あるいは移動をデータ処理装置の表示画面上で許容することができるので、画像表示時におけるユーザ操作の制限を低減することができる。
【００１５】
本発明の画像表示システムでは、前記データ処理装置は、前記表示画面における背景画像データを取得する背景画像データ取得手段を備え、前記送信手段は、前記表示アイテム検出手段によって検出された表示アイテムの画像データに加えて、前記背景画像データ取得手段によって取得された背景画像データを前記画像表示装置に送信し、前記表示画像データ形成手段は、前記受信手段によって受信された前記背景画像データ上に、前記表示／非表示選択手段によって前記画像表示装置に表示させると選択された表示アイテムの画像データを配置することによって表示画像データを形成することが好ましい。
【００１６】
このような画像表示システムによれば、データ処理装置から画像表示装置に送信される表示画面の背景画像データによって、画像表示装置が表示する画像におけるアイテム表示領域以外の空白領域を埋めることができるので、画像表示装置に自然な画像表示を行わせることができる。
【００１７】
本発明の画像表示システムでは、前記データ処理装置は、前記表示／非表示選択手段によって前記画像表示装置に表示させると選択された表示アイテムが配置される仮想画面を生成する仮想画面生成手段と、前記仮想画面生成手段によって生成される仮想画面上において表示アイテムの表示状態を調整するアイテム表示状態調整手段とを備え、前記表示画像データ形成手段は、前記アイテム表示状態調整手段によって表示状態が調整された表示アイテムの画像データに基づいて表示画像データを形成することが好ましい。
【００１８】
このような画像表示システムによれば、データ処理装置の表示画面とは別に構成される仮想画面上において表示アイテムの表示状態（表示位置，表示サイズ，動画像の再生状態など）の調整を行うことによって、データ処理装置の表示画面における表示アイテムの表示状態とは関係なく、画像表示装置の表示する画像における表示アイテムの表示状態を調整することができる。このように、画像表示装置の表示する画像と、データ処理装置の表示画面に表示される画像とを互いに略独立なものとすることができるので、ユーザは、画像表示装置の表示する画像に影響を与えることなく、自由にデータ処理装置の表示画面の表示状態を変化させることができる。したがって、本発明によれば、画像表示装置による画像表示時におけるデータ処理装置の表示画面に関連するユーザ操作の制限を大幅に低減することができる。
【００１９】
本発明の画像表示方法は、複数の表示アイテムを同時に表示可能な表示画面の画像データを処理するデータ処理装置と、前記データ処理装置から送信された画像データを受信して画像を表示する画像表示装置とを備える画像表示システムに実行させる画像表示方法であって、前記データ処理装置に、前記表示画面上で起動中の表示アイテムを検出する表示アイテム検出ステップと、前記表示アイテム検出ステップにおいて検出された表示アイテムについて、前記画像表示装置に表示させるか否かを選択する表示／非表示選択ステップと、前記表示アイテム検出ステップにおいて検出された表示アイテムのうち、少なくとも、前記表示／非表示選択ステップにおいて前記画像表示装置に表示させると選択された表示アイテムの画像データを前記画像表示装置に送信する送信ステップとを実行させ、前記画像表示装置に、前記送信ステップにおいて送信された画像データを受信する受信ステップと、前記受信ステップにおいて受信された画像データのうち、前記表示／非表示選択ステップにおいて当該画像表示装置に表示させると選択された表示アイテムの画像データに基づいて表示画像データを形成する表示画像データ形成ステップと、前記表示画像データ形成ステップにおいて形成された表示画像データに基づいて画像を表示する画像表示ステップとを実行させることを特徴とする。
【００２０】
このような画像表示方法は、前述した本発明の画像表示システムによって実行されるので、当該画像表示システムと同じ各作用・効果を奏することができる。
【００２１】
本発明の画像表示プログラムは、複数の表示アイテムを同時に表示可能な表示画面の画像データを処理するデータ処理装置と、前記データ処理装置から送信された画像データを受信して画像を表示する画像表示装置とを備える画像表示システムに実行させる画像表示プログラムであって、前記データ処理装置に組み込まれたコンピュータに、前記表示画面上で起動中の表示アイテムを検出する表示アイテム検出ステップと、前記表示アイテム検出ステップにおいて検出された表示アイテムについて、前記画像表示装置に表示させるか否かを選択する表示／非表示選択ステップと、前記表示アイテム検出ステップにおいて検出された表示アイテムのうち、少なくとも、前記表示／非表示選択ステップにおいて前記画像表示装置に表示させると選択された表示アイテムの画像データを前記画像表示装置に送信する送信ステップとを実行させることを特徴とする。
【００２２】
本発明の画像表示プログラムは、複数の表示アイテムを同時に表示可能な表示画面の画像データを処理するデータ処理装置と、前記データ処理装置から送信された画像データを受信して画像を表示する画像表示装置とを備える画像表示システムに実行させる画像表示プログラムであって、前記画像表示装置に組み込まれたコンピュータに、前記データ処理装置から送信された画像データを受信する受信ステップと、前記受信ステップにおいて受信された画像データのうち、前記データ処理装置によって当該画像表示装置に表示させると選択された表示アイテムの画像データに基づいて表示画像データを形成する表示画像データ形成ステップと、前記表示画像データ形成ステップにおいて形成された表示画像データに基づいて画像を表示する画像表示ステップとを実行させることを特徴とする。
【００２３】
本発明の記録媒体は、前記各画像表示プログラムが記録され、コンピュータによって読み取り可能であることを特徴とする。
以上のような画像表示プログラムおよび記録媒体は、前述した本発明の画像表示方法を実行するために利用されるので、当該画像表示方法と同じ各作用・効果を奏することができる。
【００２４】
本発明は、前記画像表示システムを構成するサブコンビネーションとしてのデータ処理装置、及び画像表示装置としても成立し、これらをＵＳＢケーブル等の伝送手段で接続して協働させることにより、前述した作用及び効果を享受することができる。
【発明を実施するための最良の形態】
【００２５】
続いて、本発明の実施形態を図面に基づいて説明する。
■１．画像表示システムの構成
図４は、画像表示システムの構成を示す機能的ブロック図である。
画像表示システム１は、画像データを処理するデータ処理装置であるパーソナルコンピュータ２と、パーソナルコンピュータ２によって処理された画像データに基づいて画像を表示する画像表示装置である液晶プロジェクタ３と、パーソナルコンピュータ２および液晶プロジェクタ３間においてデータを通信する通信手段であるＵＳＢケーブル４とを備えて構成されている。
【００２６】
パーソナルコンピュータ２は、機能的には、画像データ入力手段２１と、制御手段２２と、送信手段２３とを備えて構成されている。
【００２７】
画像データ入力手段２１は、パーソナルコンピュータ２のディスプレイ５の表示画面５１に表示されている画像の画像データを制御手段２２に入力する手段である。
【００２８】
制御手段２２は、画像データ入力手段２１によって入力された画像データの処理に関する全般的な制御を行う手段であり、機能的には、表示アイテム検出手段２２１と、背景画像データ取得手段２２２と、表示／非表示選択手段２２３と、仮想画面生成手段２２４と、アイテム表示状態調整手段２２５と、画像処理手段２２６とを備えて構成されている。
【００２９】
表示アイテム検出手段２２１は、画像データ入力手段２１によって入力された画像データに基づいて、表示画面５１上で起動中の表示アイテムを検出する手段である。ここで、表示アイテムとは、例えば、ウインドウ，ウインドウ内の画像表示領域，ＧＵＩ，アイコンである。
【００３０】
背景画像データ取得手段２２２は、画像データ入力手段２１によって入力された画像データに基づいて、表示画面５１における背景画像データ（デスクトップ画像などのデータ）を取得する手段である。
【００３１】
表示／非表示選択手段２２３は、ユーザの選択操作に基づいて、表示アイテム検出手段２２１によって検出された表示アイテムについて、液晶プロジェクタ３に表示させるか否かを選択する手段である。
【００３２】
仮想画面生成手段２２４は、表示／非表示選択手段２２３によって液晶プロジェクタ３に表示させると選択された表示アイテムが配置される仮想画面を生成する手段である。
【００３３】
アイテム表示状態調整手段２２５は、ユーザの調整操作に基づいて、仮想画面生成手段２２４によって生成される仮想画面上において表示アイテム（表示／非表示選択手段２２３によって液晶プロジェクタ３に表示させると選択されたもの）の表示状態（表示位置，表示サイズ，動画像の再生状態など）を調整する手段である。
【００３４】
画像処理手段２２６は、アイテム表示状態調整手段２２５によって表示状態が調整された後の表示アイテム（表示／非表示選択手段２２３によって液晶プロジェクタ３に表示させると選択されたもの）の画像データと、背景画像データ取得手段２２２によって取得された背景画像データとに対して所定の画像処理を行う手段であり、機能的には、図５に示されるように、形状変換手段２２６１と、色調変換手段２２６２とを備えて構成されている。
【００３５】
形状変換手段２２６１は、使用される液晶プロジェクタ３に合わせて画像データの形状を変換する手段である。具体的には、形状変換手段２２６１は、液晶プロジェクタ３の表示性能に合わせて画像データの解像度を変換（リサイズ）したり、液晶プロジェクタ３の設置状態に合わせて画像データに台形補正を行ったりする（詳細については特許文献１参照）。
【００３６】
色調変換手段２２６２は、使用される液晶プロジェクタ３に合わせて画像データの色調を変換する手段である。具体的には、色調変換手段２２６２は、液晶プロジェクタ３の表示特性に合わせて画像データにガンマ補正や色むら補正などを行う（詳細については特許文献１参照）。
【００３７】
送信手段２３は、制御手段２２における各種処理が行われた画像データを、ＵＳＢケーブル４を介して液晶プロジェクタ３に送信する手段である。ここで、送信手段２３によって送信される画像データは、表示アイテム検出手段２２１によって検出された表示アイテムのうち、表示／非表示選択手段２２３によって液晶プロジェクタ３に表示させると選択され、アイテム表示状態調整手段２２５によって仮想画面上における表示状態が調整され、画像処理手段２２６によって画像処理が行われた表示アイテムの画像データと、背景画像データ取得手段２２２によって取得され、画像処理手段２２６によって画像処理が行われた背景画像データとである。したがって、表示アイテム検出手段２２１によって検出された表示アイテムのうち、表示／非表示選択手段２２３によって液晶プロジェクタ３に表示させると選択されなかった表示アイテムの画像データは、送信手段２３によって液晶プロジェクタ３に送信されない。なお、送信手段２３は、具体的には、ＵＳＢケーブル４と接続されたＵＳＢコントローラによって構成されている。
【００３８】
液晶プロジェクタ３は、機能的には、受信手段３１と、制御手段３２と、画像表示手段３３とを備えて構成されている。
【００３９】
受信手段３１は、送信手段２３によってＵＳＢケーブル４を介して送信された画像データを受信する手段である。なお、受信手段３１は、具体的には、ＵＳＢケーブル４と接続されたＵＳＢコントローラによって構成されている。
【００４０】
制御手段３２は、受信手段３１によって受信された画像データの表示に関する全般的な制御を行う手段であり、機能的には、表示画像データ形成手段３２１を備えて構成されている。
【００４１】
表示画像データ形成手段３２１は、受信手段３１によって受信された画像データに基づいて表示画像データを形成する手段である。具体的には、表示画像データ形成手段３２１は、受信手段３１によって受信された背景画像データ上に、表示／非表示選択手段２２３によって液晶プロジェクタ３に表示させると選択された表示アイテムの画像データを配置することによって表示画像データを形成する。ここで、背景画像データ上に配置される表示アイテムの画像データは、アイテム表示状態調整手段２２５によって表示状態が調整された後の仮想画面上における表示アイテムの画像データである。
【００４２】
画像表示手段３３は、表示画像データ形成手段３２１によって形成された表示画像データに基づいて画像を表示する手段であり、光を出射する光源，当該光源からの光を表示画像データに基づいて変調して画像を生成する液晶パネル，当該液晶パネルによって生成された画像を投射する投射レンズなどによって構成されている。なお、後述するように、画像表示手段３３によって表示される画像は、アイテム表示状態調整手段２２５によって表示アイテムの表示状態が調整された後の仮想画面に表示されている画像と同じである。
【００４３】
■２．画像表示方法
続いて、以上のような構成を備える画像表示システム１によって行われる画像の表示方法について説明する。
図６は、画像の表示の流れを示すフローチャートである。
【００４４】
Ｓ１では、パーソナルコンピュータ２における画像データ入力手段２１が、パーソナルコンピュータ２のディスプレイ５の表示画面５１に表示されている画像の画像データを制御手段２２に入力する。図７は、Ｓ１において入力される画像データの例（表示画面５１の表示例）を示す図である。この図では、各種アイコンＩが配置されたデスクトップ上に動画像表示アプリケーションのウインドウＷ１と、『マイ コンピュータ』のウインドウＷ２と、静止画像表示アプリケーションのウインドウＷ３とが開かれている。動画像表示ウインドウＷ１内では、動画像表示領域Ａ１に動画像が表示されている。静止画像表示ウインドウＷ３内では、静止画像表示領域Ａ３に静止画像が表示されている。３つのウインドウＷ１，Ｗ２，Ｗ３は、表示画面５１上において互いに重なるように配置されており、最前面にウインドウＷ２が、最背面に静止画像表示ウインドウＷ３が、それぞれ配置されている。このため、表示画面５１上では、動画像表示ウインドウＷ１の動画像表示領域Ａ１の一部がウインドウＷ２によって隠され、静止画像表示ウインドウＷ３の静止画像表示領域Ａ３の一部が動画像表示ウインドウＷ１およびウインドウＷ２によって隠されている。
【００４５】
Ｓ２では、表示アイテム検出手段２２１が、Ｓ１において入力された画像データに基づいて、表示画面５１上で起動中の表示アイテムを検出する。図７の例では、動画像表示ウインドウＷ１とウインドウＷ２と静止画像表示ウインドウＷ３とが表示アイテムとして検出される。
なお、図７の例のように動画像表示ウインドウＷ１全体、または、静止画像表示ウインドウＷ３全体が表示アイテムとして検出されるようにする代わりに、動画像表示ウインドウＷ１における動画像表示領域Ａ１のみ、または、静止画像表示ウインドウＷ３における静止画像表示領域Ａ３のみが表示アイテムとして検出されるようにしてもよい。つまり、画像（静止画像，動画像を問わない）を表示するための画像表示領域が内部に設けられているウインドウについては、ウインドウ全体を表示アイテムとして検出する代わりに、ウインドウの枠部分を除いた画像表示領域のみを表示アイテムとして検出するようにしてもよい。
【００４６】
Ｓ３では、背景画像データ取得手段２２２が、Ｓ１において入力された画像データに基づいて、表示画面５１における背景画像データを取得する。図７の例では、動画像表示ウインドウＷ１とウインドウＷ２と静止画像表示ウインドウＷ３とが配置されていないデスクトップの画像データが背景画像データとして取得される。
なお、図７の例では、デスクトップ上に配置される各種アイコンＩが、デスクトップと一体的に「背景」として取り扱われており、当該各種アイコンＩの画像データは、Ｓ３において背景画像データとして取得されるようになっている。しかしながら、各種アイコンＩを「背景」として取り扱わずに、「表示アイテム」として取り扱うことも可能である。この場合、各種アイコンＩは、表示アイテムとしてＳ２において検出され、背景画像データとしてＳ３において取得されることはない。このとき、Ｓ３において取得される背景画像データは、各種アイコンＩを除いたデスクトップの画像データである。
【００４７】
Ｓ４では、表示／非表示選択手段２２３が、ユーザの選択操作に基づいて、Ｓ２において検出された表示アイテムについて、液晶プロジェクタ３に表示させるか否かを選択する。図７の例では、動画像表示ウインドウＷ１とウインドウＷ２と静止画像表示ウインドウＷ３とについて、表示／非表示の選択が行われる。
表示／非表示の選択は、各種の方法によって行うことができる。例えば、図８に示されるように、表示／非表示選択対象の表示アイテム（図８の例では、動画像表示ウインドウＷ１）についてのメニューＭ１（マウスの右クリック操作などのメニュー表示操作によって表示させることが可能である）に『表示選択』，『表示選択解除』の項目を設けておき、ユーザによる当該各項目の指定操作に応じて、当該表示アイテムの表示選択および表示選択解除（非表示選択）を行うようにしてもよい。また、図９に示されるように、表示選択用のアイコンＩ１をドラッグし、表示／非表示選択対象の表示アイテム（図９の例では、動画像表示ウインドウＷ１）上でリリースすることにより、当該表示アイテムの表示選択を行うようにしてもよい。この場合、表示選択が行われた表示アイテム上で表示選択アイコンＩ１を再度リリースすることによって、当該表示アイテムの表示選択解除（非表示選択）を行うこともできる。
以下、図７の例では、動画像表示ウインドウＷ１と静止画像表示ウインドウＷ３とが、液晶プロジェクタ３に表示させると選択され、ウインドウＷ２が液晶プロジェクタ３に表示させると選択されない場合を例にとって説明をする。
【００４８】
Ｓ５では、仮想画面生成手段２２４が、Ｓ４において液晶プロジェクタ３に表示させると選択された表示アイテムが配置される仮想画面を生成する。図１０は、図７の例において生成される仮想画面を示す図である。図７の例においては、Ｓ２において検出された表示アイテムのうち、ウインドウＷ２がＳ４において液晶プロジェクタ３に表示させると選択されていないので、図１０では、ウインドウＷ２が表示されていない。なお、仮想画面は、グラフィック用プログラミングインターフェースであるOpenGLなどを利用して構成することができる。このとき、ウインドウＷ１とウインドウＷ３については、Ｓ１において取得された画像データ上では隠れて表示されていない部分があるため、改めてウインドウＷ１、ウインドウＷ３の全画面に相当する画像データを取得する。
【００４９】
Ｓ６では、アイテム表示状態調整手段２２５が、ユーザの調整操作に基づいて、Ｓ５において生成される仮想画面（図１０）上において表示アイテムの表示状態（表示位置，表示サイズ，動画像の再生状態など）を調整する。ここでの表示状態の調整は、調整対象の各表示アイテムが仮想画面上において互いに重なり合わないようにすることを主目的として行われる。すなわち、図１０において互いに重なり合っていた動画像表示ウインドウＷ１と静止画像表示ウインドウＷ３とを、それぞれ、移動させたり、サイズ調整したりして、図１１に示されるように、両ウインドウＷ１，Ｗ３が仮想画面上において互いに重なり合わないようにする。但し、ここでの表示アイテムの表示状態の調整は、あくまで、仮想画面上において行われるものであり、調整結果は、パーソナルコンピュータ２の実際の表示画面５１には反映されないようになっている。
なお、このような仮想画面上における表示アイテムの表示状態の調整は、各種の方法によって行うことができる。例えば、図１２に示されるように、パーソナルコンピュータ２の表示画面５１上に仮想画面の内容を表示する仮想画面表示ウインドウＷ４を開き、当該仮想画面表示ウインドウＷ４内において、仮想画面上における表示アイテムの表示状態の調整を行うようにしてもよい。この場合、仮想画面表示ウインドウＷ４内において行われた表示アイテムの表示状態の調整結果は、仮想画面においてのみ反映され、表示画面５１には反映されない。なお、表示画面５１上（仮想画面表示ウインドウＷ４外）において行われた表示アイテムの表示状態の調整結果については、仮想画面において反映させるようにしてもよい（但し、表示画面５１および仮想画面の両方に表示されている表示アイテムに限る）。また、ユーザの画面切替操作に応じて、パーソナルコンピュータ２の表示画面５１の表示が実画面と仮想画面との間で切り替わるようにし、表示画面５１の表示が仮想画面となっている状態で、仮想画面上における表示状態の調整を行えるようにしてもよい。
【００５０】
Ｓ７では、画像処理手段２２６が、Ｓ６において表示状態が調整された後の仮想画面上における表示アイテムの画像データ（図１１）と、Ｓ３において取得された背景画像データとに対して所定の画像処理を行う。具体的には、形状変換手段２２６１によって、使用される液晶プロジェクタ３に合わせて画像データの形状を変換し（Ｓ７１）、色調変換手段２２６２によって、使用される液晶プロジェクタ３に合わせて画像データの色調を変換する（Ｓ７２）。
【００５１】
Ｓ８では、送信手段２３が、Ｓ７において画像処理が行われた画像データを、ＵＳＢケーブル４を介して液晶プロジェクタ３に送信する。
【００５２】
Ｓ９では、液晶プロジェクタ３における受信手段３１が、Ｓ８においてＵＳＢケーブル４を介して送信された画像データを受信する。
【００５３】
Ｓ１０では、表示画像データ形成手段３２１が、Ｓ９において受信された画像データに基づいて表示画像データを形成する。具体的には、Ｓ３において取得された背景画像データ上に、Ｓ６において仮想画面上における表示アイテムの表示状態が調整された表示アイテムの画像データ（図１１：この図には、便宜上、背景も表示されている）を配置することによって表示画像データを形成する。したがって、図７の例では、図１１に示される仮想画面（背景付き）のデータが表示画像データとして形成されることになる。
【００５４】
Ｓ１１では、画像表示手段３３が、Ｓ１０において形成された表示画像データに基づいて画像を表示する。図７の例では、図１１に示される仮想画面（背景付き）の画像が表示される。このとき、パーソナルコンピュータ２の表示画面５１に表示されているのは図７の画像である。したがって、本実施形態では、液晶プロジェクタ３は、表示画面５１の画像（図７）と異なる画像（図１１）を表示することができる。なお、液晶プロジェクタ３によって表示された画像は、スクリーンなどに投射される。
【００５５】
■３．実施形態の効果
以上のような実施形態によれば、液晶プロジェクタ３に表示させるか否かの選択が表示アイテム単位で為されるので、パーソナルコンピュータの表示画面における領域単位で表示の選択が為されていた特許文献２の画像表示システム（図１）とは異なり、図２に示されるように液晶プロジェクタ３に表示させたい表示アイテムとしての動画像表示ウインドウＷ１（あるいは動画像表示領域Ａ１）が移動したとしても、液晶プロジェクタ３は当該ウインドウＷ１（あるいは当該領域Ａ１）を適切に表示することができる。このように、本実施形態によれば、液晶プロジェクタ３による画像表示時においてもパーソナルコンピュータ２の表示画面５１上での表示アイテムの移動を許容することができるので、ユーザ操作の制限を低減することができる。
【００５６】
以上のような実施形態によれば、図３に示されるように、液晶プロジェクタ３に表示させたい表示アイテムとしての動画像表示ウインドウＷ１（あるいは動画像表示領域Ａ１）よりも前面に他の表示アイテムとしてのウインドウＷ２が生成あるいは移動されたとしても、当該ウインドウＷ２について液晶プロジェクタ３に表示させるとパーソナルコンピュータ２において選択しておかなければ、当該ウインドウＷ２に関係なく液晶プロジェクタ３は当該ウインドウＷ１（あるいは当該領域Ａ１）を適切に表示することができる。このように、本実施形態によれば、ある表示アイテムを液晶プロジェクタ３に表示させているときにおいても、液晶プロジェクタ３に表示させない他の表示アイテムの生成あるいは移動をパーソナルコンピュータ２の表示画面５１上で許容することができるので、画像表示時におけるユーザ操作の制限を低減することができる。
【００５７】
以上のような実施形態によれば、パーソナルコンピュータ２から液晶プロジェクタ３に送信される表示画面５１の背景画像データによって、液晶プロジェクタ３が表示する画像におけるアイテム表示領域以外の空白領域を埋めることができるので、液晶プロジェクタ３に自然な画像表示を行わせることができる。
【００５８】
以上のような実施形態によれば、パーソナルコンピュータ２の表示画面５１とは別に構成される仮想画面上において表示アイテムの表示状態（表示位置，表示サイズ，動画像の再生状態など）の調整を行うことによって、表示画面５１における表示アイテムの表示状態とは関係なく、液晶プロジェクタ３の表示する画像における表示アイテムの表示状態を調整することができる。このように、液晶プロジェクタ３の表示する画像と、パーソナルコンピュータ２の表示画面５１に表示される画像とを互いに略独立なものとすることができるので、ユーザは、液晶プロジェクタ３の表示する画像に影響を与えることなく、自由にパーソナルコンピュータ２の表示画面５１の表示状態を変化させることができる。したがって、本実施形態によれば、液晶プロジェクタ３による画像表示時におけるパーソナルコンピュータ２の表示画面５１に関連するユーザ操作の制限を大幅に低減することができる。
【００５９】
以上の実施形態によれば、仮想画面を利用することによって、パーソナルコンピュータ２の表示画面５１に表示される画像と、液晶プロジェクタ３によって表示される画像とを互いに異ならせることができる。特に、表示画面５１および液晶プロジェクタ３に同じ動画像を表示させる場合には、表示画面５１上で動画像を再生させている一方で、液晶プロジェクタ３では、動画像を一時停止させたり、過去の動画像をリプレイさせたりすることもできる。このように、表示画面５１と液晶プロジェクタ３とで、動画像の表示状態（再生状態）を異ならせることができるので、動画像表示の自由度を大幅に高めることができる。
【００６０】
■４．実施形態の変形例
本発明は、以上の実施形態によって限定されるものではなく、当該実施形態を、本発明の目的を達成できる範囲内において変形したものであれば、本発明の技術的範囲に含まれる。
【００６１】
以上の実施形態では、パーソナルコンピュータ２および液晶プロジェクタ３間においてデータを通信する通信手段をＵＳＢケーブル４によって構成していたが、ＬＡＮケーブルや無線ネットワーク（たとえばIEEE802.11a/11b/11g）によって通信手段を構成してもよい。
【００６２】
以上の実施形態では、パーソナルコンピュータ２の表示画面５１上で起動される表示アイテムとして、各種ウインドウＷ１，Ｗ２，Ｗ３を例に挙げて説明していたが、表示画面５１上で起動されるＧＵＩを表示アイテムとして取り扱ってもよい。この場合、表示アイテムとしてのＧＵＩについては、個々に、液晶プロジェクタ３に表示させるか否かを選択することが可能である。特に、液晶プロジェクタ３が表示する画像を制御するための画像制御ＧＵＩ（例えば、液晶プロジェクタ３が表示する動画像の再生，停止，早送り，巻き戻し，全画面表示などを行うためのＧＵＩ）がパーソナルコンピュータ２の表示画面５１上で起動された場合、当該画像制御ＧＵＩについては、液晶プロジェクタ３に表示させると選択しないことが好ましい。この場合、ユーザは、パーソナルコンピュータ２の表示画面５１に表示されている画像制御ＧＵＩを利用して液晶プロジェクタ３が表示する画像の制御を行うことができる。しかも、画像制御ＧＵＩは、液晶プロジェクタ３によって表示されないので、画像制御ＧＵＩによって液晶プロジェクタ３の画像表示が妨げられることがない。
【００６３】
以上の実施形態では、パーソナルコンピュータ２において液晶プロジェクタ３に表示させると選択されなかった表示アイテム（ウインドウＷ２）の画像データは、液晶プロジェクタ３に送信されなかったが、液晶プロジェクタ３に送信されるようにしてもよい。この場合、液晶プロジェクタ３に、パーソナルコンピュータ２における各表示アイテムについての表示／非表示の選択情報を取得する表示／非表示選択情報取得手段を設け、当該表示／非表示選択情報に基づいて表示画像データ形成手段３２１が表示画像データを形成するようにすればよい。すなわち、表示画像データ形成手段３２１は、表示／非表示選択情報に基づいて、パーソナルコンピュータ２において『表示』が選択された表示アイテムの画像データのみを抽出し、当該画像データに基づいて表示画像データ（パーソナルコンピュータ２において『非表示』が選択された表示アイテムの画像データを含まない）を形成することができる。なお、表示／非表示選択情報としては、パーソナルコンピュータ２において各表示アイテムの画像データに付すことができる表示／非表示の選択結果を表すフラグやヘッダなどを利用することができる。
【００６４】
以上の実施形態では、液晶プロジェクタ３における表示アイテムの表示／非表示の選択が、ユーザの選択操作に基づいて行われるようになっていたが、パーソナルコンピュータ２において各表示アイテムについて予め設定されている表示／非表示選択情報に基づいて自動的に行われるようにしてもよい。ここで、パーソナルコンピュータ２における表示／非表示選択情報の設定は、当該表示アイテムを液晶プロジェクタ３に表示させる必要性の大小に応じて行われるようにする。例えば、表示アイテムとしてのウインドウのうち、画像（動画像または静止画像）を表示する画像表示ウインドウは液晶プロジェクタ３に表示させる必要性が大きい一方で、ユーザの作業に関連する情報を表示する作業ウインドウ（例えば、『マイ コンピュータ』のウインドウ：図７参照）は液晶プロジェクタ３に表示させる必要性が小さいので、画像表示ウインドウについては『表示』が設定されるようにし、作業ウインドウについては『非表示』が設定されるようにする。また、画像表示ウインドウの他にも、プレゼンテーション用の文字や図形が表示されるプレゼンテーションウインドウなどは、液晶プロジェクタ３に表示させる必要性が大きく、『表示』と設定されることが好ましい。逆に、前述した画像制御ＧＵＩなどは、液晶プロジェクタ３に表示させる必要性が小さいので、『非表示』と設定されることが好ましい。このような、表示アイテムについての表示／非表示選択情報の設定は、当該表示アイテムを起動するアプリケーションに応じて行われるようにしてもよい。なお、設定された表示／非表示選択情報は、ユーザの設定変更操作に基づいて、変更可能なものとしてもよい。
【００６５】
以上の実施形態では、仮想画面上における表示アイテムの表示状態の調整が、ユーザの調整操作に基づいて行われるようになっていたが、自動で行われるようにしてもよい。すなわち、表示状態の調整は、調整対象の各表示アイテムが仮想画面上において互いに重なり合わないようにすることを主目的として行われるところ、パーソナルコンピュータ２に、仮想画面上における各表示アイテムの表示状態を検出するアイテム表示状態検出手段と、表示状態の検出の結果、仮想画面上において互いに重なり合っている表示アイテムが見つかった場合に、当該表示アイテムの表示状態を自動的に調整して、当該表示アイテムの重なり状態を解消するアイテム表示状態自動調整手段とを設けることによって、各表示アイテムの仮想画面上における重なり状態を自動的に解消することができる。
【００６６】
以上の実施形態では、表示アイテムに液晶プロジェクタに対する表示／非表示の選択情報が付随していたが、それに加えて表示画面に対する表示／非表示の選択情報があっても構わない。
すなわち、「表示」が選択された表示アイテムについては、表示画面には表示しないように取り扱っても良い。この場合、該当する表示アイテムは、液晶プロジェクタのみに表示される。再び表示画面に表示するには、例えば、画像制御ＧＵＩを通じて液晶プロジェクタのみに表示されている表示アイテムを選択し、表示画面への表示を指示すればよい。
【図面の簡単な説明】
【００６７】
【図１】パーソナルコンピュータの表示画面の表示例を示す図であり、当該表示画面における領域指定の例を示している。
【図２】図１における動画像表示ウインドウが移動した状態を示す図である。
【図３】図１における動画像表示ウインドウよりも前面に他のウインドウが生成あるいは移動された状態を示す図である。
【図４】画像表示システムの構成を示す機能的ブロック図である。
【図５】画像処理手段の構成を示す機能的ブロック図である。
【図６】画像の表示の流れを示すフローチャートである。
【図７】画像データ入力手段によって入力される画像データの例を示す図である。
【図８】表示アイテムについてのメニューを利用した表示アイテムの表示／非表示の選択例を示す図である。
【図９】表示選択アイコンを利用した表示アイテムの表示／非表示の選択例を示す図である。
【図１０】図７の例において生成される仮想画面を示す図である。
【図１１】各表示アイテムの表示状態調整後の仮想画面を示す図である。
【図１２】パーソナルコンピュータの表示画面上に開かれた仮想画面表示ウインドウを示す図である。
【符号の説明】
【００６８】
１…画像表示システム，２…パーソナルコンピュータ（データ処理装置），３…液晶プロジェクタ（画像表示装置），４…ＵＳＢケーブル，５…ディスプレイ，２１…画像データ入力手段，２２…制御手段，２３…送信手段，３１…受信手段，３２…制御手段，３３…画像表示手段，５１…表示画面，２２１…表示アイテム検出手段，２２２…背景画像データ取得手段，２２３…表示／非表示選択手段，２２４…仮想画面生成手段，２２５…アイテム表示状態調整手段，２２６…画像処理手段，３２１…表示画像データ形成手段，２２６１…形状変換手段，２２６２…色調変換手段。
【図１】
2007218944.tif 000003
【図２】
2007218944.tif 000004
【図３】
2007218944.tif 000005
【図４】
2007218944.tif 000006
【図５】
2007218944.tif 000007
【図６】
2007218944.tif 000008
【図７】
2007218944.tif 000009
【図８】
2007218944.tif 000010
【図９】
2007218944.tif 000011
【図１０】
2007218944.tif 000012
【図１１】
2007218944.tif 000013
【図１２】
2007218944.tif 000014